(57)【特許請求の範囲】
【請求項１】
電子物体監視（ＥＡＳ）システムに使用されるコイル組品にして、該コイル組品は、同一平面上に互いに並置され、実質的に同形状の少なくとも一対のコイルセグメントを備える磁界発生コイルからなり、各々のセグメントは、
互いに平行に一定の間隔を置いた一対の垂直部と、
該各垂直部の上端に接続される実質的に水平な最上部分と、
各垂直部の下端に接続し、少なくとも部分的に斜めに形成された底部分とを有し、
各々のセグメントの上記各垂直部は、実質的に並置された上記各々のセグメントの間隔と同じ間隔を置いて配置され、各々のセグメントの各底部分は、実質的に同じ位置に配置され、他のセグメントの底部分の同じように配置された部分に対して反対の斜角で配置される部分を少なくとも１つ備えると共に、上記各々のセグメントは、近傍にあるＥＡＳマーカーを検出する検出性能を高めるために、コイル組品の上半分により強い磁界が生じるように、最上部分に電流が累積的に流れるよう接続される一方、斜めに配置されたそれぞれの底部分に流れる電流によって生じる磁界は少なくとも部分的に相殺され、上記ＥＡＳシステムが配置される面の近傍にある、電磁気的に活性なものからの影響を最小限にするコイル組品。
【請求項２】
請求項１に記載のコイル組品にして、上記各々のセグメントの各最上部分は、感知領域の上半分にあるＥＡＳマーカーを検出する検出性能を高めるように、コイル組品の上半分に垂直方向に延在する磁界を形成するために異なった所定の高さに配置されるコイル組品。
【請求項３】
請求項１に記載のコイル組品にして、更に、上記磁界発生コイルと実質的に同一平面上の近傍に配置された、緩やかな８の字形状に接続された２つの部分を有する検出コイルを備え、該検出コイルは、各々の上端及び下端が実質的にそれぞれ同じ位置に終わるように一定間隔を置いて配置された垂直部と、互いに交差する２つの中央垂直部と、該中央垂直部の一方に上記垂直部の各々を接続する最上部分及び底部分とからなり、該最上部分の左半分が該底部分の右半分に、該最上部分の右半分が該底部分の左半分に接続され、上記底部分の各々の上記半分は、上記磁界発生コイルのそれぞれ斜めに形成された底部分に隣接するために斜めに延在するコイル組品。
【請求項４】
請求項１に記載のコイル組品にして、更に、上記磁界発生コイルから一定間隔を置いて平行に配置された第２磁界発生コイルを備え、これらの磁界発生コイルによって、その間にＥＡＳシステムの感知領域が形成され、更に、該感知領域の同じ側から見て、各々のコイルに対応する部分に相対する方向に電流が流れるように上記一対の磁界発生コイルを接続する手段を備えるコイル組品。
【請求項５】
請求項４に記載のコイル組品にして、更に、それぞれが上記一方の磁界発生コイルと隣接し、実質的に同一平面上に配置され、緩やかな８の字に接続された２つの部分からなる一対の検出コイルを備え、各々の該検出コイルは、各々の上端及び下端が実質的にそれぞれ同じ位置に終わるように一定間隔を置いて配置された垂直部と、互いに交差する２つの中央垂直部と、該中央垂直部の一方に上記垂直部の各々を接続する最上部分及び底部分とからなり、該最上部分の左半分が該底部分の右半分に、該最上部分の右半分が該底部分の左半分に接続され、上記底部分の各々の上記半分は、上記磁界発生コイルのそれぞれ斜めに形成された底部分に隣接するために斜めに延在するコイル組品。
【発明の詳細な説明】
【０００１】
【産業上の利用分野】
本発明は、電子物体監視システムに関し、特に、該システムに関連する感知領域内に磁界を発生させ、検知するためのコイル／格子形状に関する。
【０００２】
【従来の技術】
２０年以上前に最初に商品化された磁気を使用した電子監視システム（ＥＡＳ）は、約１７．７８ｃｍの長さの細長いパーマロイから形成され、本の背に隠したり、ページ間に固着したりなどして使われたマーカーが使用された。上記パーマロイは、基本的には一方向のみにおいてしか検出することができず、したがって、その制限を克服するために様々な技術が明らかにされた。マーカー自体から送信したり、１つ以上のマーカーを使用したり、Ｌ字又はＸ字形をした複数のマーカーをそれぞれ直角に配置したものなどがあった。
【０００３】
更に、他の技術として、方向に関係なくマーカーを検出することができるように様々な方向に感知用磁界を生じさせるようにしたものがあった。例えば、アメリカ特許第３６６５４４９号明細書及び同第３６９７９９６号明細書（エルダー及びライトによる）で、各々のコイルに連続的に電圧を印加し、それによって、検出可能な方向に合わせ、マーカーを検出する検出性能を高めるために主として一方向に広がる、空間に放つ磁界を発生させる電子回路構成と共に、直交する３方向に磁界を発生させるように配置された３つのコイルを使用することが開示されている。
【０００４】
アメリカ特許第４１３５１８３号明細書（ヘルテメスによる）は、多方向に検出させる異なった方法を示している。上記明細書において、間に感知領域を示す通路の相対するそれぞれの側に配置された実質的に平面状の一対のコイルを備えることにより、連続した電圧を印加する必要はないが、複雑で高価なシステムが提案されている。上記両コイルは、実質的に同じような全体的な形状をなし、８の字又は砂時計のような形状に曲げられている。上記両コイルは、意図して異なった領域に及ぶ磁界を発生させ、そして、それによって感知領域の方向に関係なくマーカーを検出する検出性能を高めるというものである。
【０００５】
感知領域の方向に関係なく単一指向性のマーカーを検出する検出性能を高めるように、感知領域の隅々まで異なった方向に広がる磁界を発生させる他の技術が、アメリカ特許第４３０９６９７号明細書（ウィーバーによる）、同第４３２６１９８号明細書（ノビックオフによる）、同第４６２３８７７号明細書（バッケンズによる）で開示されている。
【０００６】
【発明が解決しようとする課題】
上記アメリカ特許第４３０９６９７号明細書は、間に広がる感知領域の相対する側に、互いに平行に配置された一対の格子組品を使用することを提案している。菱形に形成された伝送コイル、すなわち磁界発生コイルは、各々のコイルの斜面が相対する方向に向くように、上記各々の格子内に配置され、それは例えば、感知領域の一方の側のコイルは、その斜面が感知領域を通る所望の通路に対して上方向に向くように設けられ、一方、他方の側のコイルの斜面は、感知領域を通る所望の通路に対して下方向に設けられるというものである。この特許明細書において、８の字形の受信コイルが、更に各々の伝送コイルと平行に並置される。
【０００７】
対して、上記アメリカ特許第４３２６１９８号明細書で示された一実施例では、感知領域の一方の側にある第１格子組品に組み込まれた一対の伝送コイルと、感知領域の他方の側に設けられた、第１格子組品と平行に配置された第２格子組品内の一対の受信コイルとを使用することを提案している。上記実施例において、上記各伝送コイルは、実質的に同じ平面上にあり、垂直方向と水平方向の両方で相殺され、両コイルとも同じ方向に電流が流れるように接続されている。上記実施例では、更に、同じような複数のオフセット直流電圧印加バイアスコイルを使用する必要がある。上記垂直方向及び水平方向の相殺は、感知領域の隅々まで構成された異なる方向の磁界を作ることを容易にするが、２つの異なった格子組品を使用する必要がある。
【０００８】
上記アメリカ特許第４６２３８７７号明細書では、もう１つの変形例を示している。該特許明細書では、一対の磁界発生コイルと一対の受信コイルが１つの格子の中にすべて納められている。上記各磁界発生コイルは、基本的には長方形をなし、小さい方の長方形コイルは大きい方の長方形コイルの中央に配置される。上記それぞれのコイルは、同じ方向に電流が流れるように接続されている。上記それぞれの格子は、感知領域の相対する側に２つ１組にして使用され、感知領域の同じ側から見て、一方側のそれぞれのコイルに流れる電流は、他方側のそれぞれのコイルに流れる電流と反対の方向に流れるように接続される。
【０００９】
本発明のコイル組品を納めるのに適するいくつかの類似点を備える格子組品が、更に、アメリカ特許第４９９４９３９号明細書で説明されているが、一方で、上記格子組品の中に収容されるコイル組品は、感知領域の隅々まで多方向に検出するように形成されていない。
【００１０】
【課題を解決するための手段】
本発明によるコイル組品は、上述したものとはかなり異なり、方向に関係なくＥＡＳにおける感知領域内にある磁気マーカーを検出する検出性能を更に一層高める、感知領域内の磁界分布に起因する特性を備える。本発明のコイル組品は、また、実質的に同一平面上に並置された、実質的に同一形状の少なくとも一対のコイルセグメントを備える磁界発生コイルを備える。本発明のコイル組品において、各々のコイルセグメントは、一定の間隔を置いた、互いに平行な一対の垂直部と、該垂直部の上端に接続される実質的に水平な最上部分と、上記垂直部の下端に接続される少なくとも部分的に斜めの底部分を有する。
【００１１】
各々のセグメントの各垂直部は、実質的に並置された各々のセグメントの間隔と同じ間隔が置かれている。各々のセグメントのそれぞれの底部分は、実質的に同じ位置に配置され、他のセグメントの底部分の同じように配置された部分に対して反対の斜角で配置される部分を少なくとも備える。
【００１２】
上記各々のセグメントは、近傍にあるＥＡＳマーカーを検出する検出性能を高めるために、コイル組品の上半分により強い磁界が生じるように、最上部分に電流が累積的に流れるよう接続される。斜めに配置されたそれぞれの底部分に流れる電流によって生じる磁界は少なくとも部分的に相殺され、上記ＥＡＳシステム関連が配置される面の近傍にある、電磁気的に活性なものからの影響を最小限にする。好ましくは、各々のセグメントの最上部分は、感知領域の上方にあるマーカーを検出する検出性能を向上させるように垂直方向に広がる磁界を発生させるように異なった所定の高さに設けるとよい。
【００１３】
更に好ましい実施例において、磁界発生コイルは、同一平面上に互いに並置された、実質的に同形状の少なくとも一対の台形状コイルセグメントを備え、各々の台形状コイルセグメントは、
ｉ）実質的に同じ位置にそれぞれの上端を終わらせ、実質的に異なった位置にそれぞれの下端を終わらせるように異なった長さを有する、互いに平行に一定の間隔を置いた一対の垂直部と、
ｉｉ）該それぞれの垂直部の上端に接続される実質的に水平な最上部分と、
ｉｉｉ）異なった長さの垂直部の下端に接続するように斜めに配置された底部分とからなる。
【００１４】
上記コイルセグメント対は、一方のセグメントの長い方の部分が他方のセグメントの短い方の部分と並び、各々の長い方の部分が実質的に同じ位置に配置され、最上部の水平部分がその結果異なった位置に配置されるように配置される。
【００１５】
更に好ましい実施例において、上記コイル組品はまた、上記磁界発生コイルと実質的に同一平面上の近傍に配置された検出コイルを備え、上記検出コイルは、緩やかな８の字形状に接続された２つの部分を有する。好ましくは、上記検出コイルの底部分の各々の半分は、上記磁界発生コイルのそれぞれ斜めに形成された底部分に隣接するように斜めに延在し、上記検出コイルの最上部分は、上記磁界発生コイルから生じる周辺の磁界を検出するように磁界発生コイルの最上部の水平部分のかなり上に延在する。
【００１６】
【実施例】
図１は、通常、中にコイル格子が納められ、小売店、図書館などのような安全設備として出口１２の近傍に配置された本発明のコイル組品装置を示している。図１で示すように、そのような装置は第１格子１０を備えると同時に、また、しばしば第２格子１０Ａをも備え、該第２格子１０Ａは、上記第１格子１０との間に感知領域１１を設けるために、第１格子１０と平行に一定間隔を置いて配置される。代表的な使い方として、マーカー１８が付けられた物１６を持った客、得意先の人などといった人１４が感知領域を通過したことを検知してもよい。上記格子１０の独立した部分で示された各々のコイル組品２０は、磁界発生コイル２２と検出コイル２４とを含む。
【００１７】
マーカー１８が活動状態であれば、コイル２２のような、格子１０及び１０Ａ内のそれぞれの磁界発生コイルは、交流電源２６によって電源が印加されると磁界が発生し、相互作用を起こす。このことは、信号検出及び警報表示回路２８が信号を検出するように、検出コイル２４のようなそれぞれの検出コイルに順に反応させる。このことは、上記格子１０、１０Ａのどちらか一方の最上に装着された点滅灯３０又はブザー３１を備えてもよい適切な警報を作り出す。
【００１８】
図２は、中に磁界発生コイル３７からなるコイル組品３６が配置された格子３４の正面図である。図２で示すように、上記コイル３７は実質的に同じような形状をした台形状のコイルセグメント３８と４０を備える。該２つのセグメントは実質的に同じ方向に並置され、一方のコイルは、他方のコイルの鏡像をなすように配置される。上記セグメント４０は、また、セグメント３８よりも短くなるように構成され、セグメント３８と４０の各々の相対する側の長い方の長辺部４２および４４が格子の底部４６から等距離になるようにすると共に、水平方向に配置された最上に位置する水平部分４８と５０は異なった所定の高さになるようにセグメント３８と４０の両方を配置する。
【００１９】
図に示すように、セグメント３８と４０の各々は、それぞれ２回巻回され、該２つのセグメント３８と４０を直列に接続するために、一方のセグメントを２回巻回すると、他方のセグメントの１回目のターンに接続される。各々のセグメントのそれぞれの辺部や部分に近隣する各矢印は、両方の最上部にある水平部分４８と５０において同じ方向に流れる電流の方向を示している。それぞれの磁界は、合成されて互いに増強し、上記感知領域の上部で一層強くなって、マーカーを検出する検出性能を高めるように形成される。
【００２０】
相対する位置に配置された斜線部における電流は、水平及び垂直方向の両方の方向に流れ、水平部分において同じ方向に流れる電流は、磁界を調節してマーカーを検出しやすくするように、磁界をより強くすることが分かる。逆に、垂直方向に流れる電流は、互いの磁界を部分的に打ち消すために反対の方向に流される。この磁界は、装置が設置された面の下部に設けられた電磁気感知物からの干渉を受けることはほとんどないほど弱くなる。好ましい実施例として、本発明で使われる磁界発生コイルは、水平をなす最上部分が３５６ｍｍ離れ、垂直部の重なり合った部分の高さが３５６ｍｍ、斜線部分の垂直方向の高さが３５６ｍｍである２つの台形状コイルを使用して形成される。上記コイルの幅は７１２ｍｍであり、６ゲージのリッツ線を６回巻回して形成される。
【００２１】
図３は、検出コイル５８からなるコイル組品５６を内部に配置した格子５４の正面図である。明確にするために図３で検出コイルのみを示すと共に、図１で示したように好ましいコイル組品は、磁界発生コイルと隣接し、実質的に同一平面上に配置された検出コイルを備えることが分かる。上記検出コイル５８は２つの部分６０と６２を有し、緩やかな８の字形状に接続される。上記コイルは、このように、それぞれの上端及び下端で実質的にそれぞれ同じ位置になるように、一定間隔を置いて配置した垂直部６４と６６、及び互いに交差する２つの中央垂直部６８と７０、及び垂直部６４と６６のそれぞれを中央垂直部６８と７０の一方にそれぞれ接続する最上部分７２及び底部分７４からなり、最上部分７２の左半分が底部分７４の右半分に、最上部分７２の右半分が底部分７４の左半分に接続される。上記検出コイルの底部分の各々の半分は、このように、磁界発生コイルの斜線状に形成されたそれぞれの底部分に隣接するように斜めに延在する。
【００２２】
更にまた、図３から分かるように、検出コイルの最上部分７２は、検出領域内にあるマーカーをすばやく検出するように磁気発生コイルの最上の水平部分よりもかなり上方に位置し、磁界の強さを増加させることによって磁界発生コイルの両方の最上部分に流れる電流を増加されてアクセスさせる。好ましい実施例において、上記検出コイルは、上記のように、１８ゲージの、６本の導線からなる計測線を１回巻回して形成され、その各々の導線は、６回巻回するように直列に接続される。検出コイルの幅の寸法は７１５ｍｍになるようにし、該底部分は、磁界発生コイルの斜めになった底部分に沿った形状をなし、該最上部分は、磁界発生コイルの最上にある水平部分よりも３８１ｍｍ高く、格子の最上部分の形状と一致している。
【００２３】
図４は、３つの磁界発生コイル７８、８０及び８２の分解図であり、各々のコイルは、それらの間の２つの平行した感知領域を示すために互いに平行に一定の間隔で配置されている状態で示されている。図２と同様に、特にコイル７８で示すように、各々のコイルは２つのセグメント８４と８６からなる。各々のセグメントは台形をなし、相対するセグメントに対して鏡像をなすように配置されている。このように、各々のセグメント８４と８６は、合成された感知領域の上部で磁界が広がるように異なった高さに配置された、互いに平行な最上部分８８と９０を備える。各々のコイルは更に、相対する垂直部９２、９４、９６及び９８、更に相対する斜線を形成した底部分１００と１０２を備える。上記各々のコイルにおける上記２つのセグメントを直列に接続し、更に、それぞれのコイルに流れる電流が中央のコイル８０と反対方向に流れるように接続するとよい。
【００２４】
上記のような相対する方向に流れる電流は、磁界が感知領域を横切って広がるように互いに作用し合う。図２で示すように、各コイルは、少なくとも９１４ｍｍの帯状の幅を有し、アメリカの規制法に準拠している。
【００２５】
図５で示すように、磁界発生コイル７８、８０及び８２は、更に、検出コイル１０４、１０６及び１０８とそれぞれ交互に配置されている。図３で示すように「緩やかな８の字」形状をなす上記それぞれの検出コイルは、検出性能を最大にするために感知領域が縦、横に広がるように交互に接続される。
【００２６】
図６から図１２は、本発明の磁界発生コイルの様々な変形形状を示している。図６で示す実施例において、磁界発生コイル１１０は、各斜線部が相対する方向をなし、鏡像をなすように並置及び配置された実質的に同じ大きさの２つのセグメントを備えてもよい。本実施例において、それぞれの最上部分１１２及び１１４は、並置されているというよりは、前述したコイルのように一定の間隔を置いて配置される。図７において、上記磁界発生コイル１１６は、斜線状に配置されたそれぞれの底部分１１８及び１２０が直線ではなく、一方は上方に、もう一方は下方にそれぞれ曲がって構成されることが分かる。更に、上記各セグメントの両方の底部分のそれぞれ下方及び上方を向く部分は、共通のラインに沿って延在する。
【００２７】
上記コイルの最上部分は、直線でなくてもよい。図８及び図９は、コイルのセグメントの片方又は両方の最上部分が、図による最上部分１２６、１２８及び１３０のように、曲線をなす実施例としてコイル１２２（図８）及びコイル１２４（図９）を示しており、組立時に検出コイルと全体的な形が一致することが望ましい。同様に、図１０及び図１１は、それぞれの最上部分１３６、１３８、１４０及び１４２のうち１つ又はそれ以上、対角部を備える直線をなすセグメントを有するコイル１３２及び１３４を示している。最後に、図１２で示すように、コイル１４４は、並置部１４６、１４８、１５０及び１５２が実質的に垂直であったり、拡散するように又は集中するように延在するセグメントを備える。本発明の範囲は、上記実施例に限定されるものではなく、様々な変形例が考えられることは言うまでもない。
【００２８】
本発明のコイル組品によって改善された磁界の分布が、特に図１３、１４、１５及び１６で明らかにされている。図１３は、従来の磁界発生コイルを使用した場合を示しており、図１３（ａ）は感知領域の断面を示しており、図１３（ｂ）は従来のコイル組品の側面図、図１３（ｃ）は従来のコイル組品の平面図である。図１３（ｂ）は、一方のコイル組品１５４のみを示しており、他方のコイル組品は、コイル組品１５４の直後に配置されている。コイル組品１５４は２つの実質的に正方形をなすセグメント１５６及び１５８を備え、該セグメント１５６及び１５８は、それぞれの垂直部が一直線上に並び、上方にあるセグメント１５６の底部にある水平部分は、下方にあるセグメント１５８の中央を横切るように、各水平部分を並置するように配置される。（このような配置は、同じ幅の２つのコイルセグメントが、一方のセグメントが他方のセグメントの高さの１／３であり、中心が他方のセグメントの中に位置するような形ではあるが、アメリカ特許第４６２３８７７号明細書で開示されている。）図１３（ｃ）の平面図は、更に、他のコイル組品１６０の配置を明示しており、該コイル組品１６０は、同じようなセグメント１６２及び１６４を備え、間に感知領域を形成するために上記コイル組品１５４から一定の間隔を置いて配置されている。
【００２９】
図１３（ｂ）及び１３（ｃ）の各々で、感知領域への入口が矢印１６６で示されている。Ｅ−Ｅで示された入口に最も近い断面における磁界の分布線が図１３（ａ）で示されている。各々のセグメントにおけるそれぞれの最上部及び底部にある水平部分では同じ方向に、そして感知領域の相対する側にあるコイルにおいては相対する方向に電流が流れ、このようなコイルによって生じる磁界パターンと電流配置は、底部分において相対する方向であるならば、磁界の垂直方向の成分が、コイルの最上部及び底部にある水平部分に対して左右対称であることを示している。底部の垂直方向の磁界と最上部の垂直方向の磁界との相殺は、結合させたコイル組品の幾何学上の中央で起きる。コイルの下方の底部の垂直方向の磁界は、対をなすコイルの最上部の上方に広がる磁界と同じである。また、Ｅ−Ｅ断面と感知領域の出口の断面で生じる磁束密度は、感知領域に存在する垂直方向のパターンにおいて本質的に最も小さい。
【００３０】
図１４（ａ）から１４（ｃ）は、図１３（ａ）から１３（ｃ）に関連して示すために、実質的に同じコイルと電流配置を示すが、図１４（ａ）で示した断面図は、感知領域内の通路のほぼ中間であるＣ−Ｃ断面を示している。図１４のコイルに図１３と同じ電流が流れると、磁界の垂直方向の成分は、最上部及び底部の水平方向のコイル部分に対して左右対称となることが図１４（ａ）から分かる。底部の垂直方向の磁界と最上部の垂直方向の磁界との相殺は、コイル組品の幾何学上の中央水平面で再び起こる。そして、コイル組品の下方にある垂直方向の磁界と同じ垂直方向の磁界がコイル組品の上方に広がるため、例えば床下にある補強材などのような電磁気的に活性なものからの干渉が起きる場合がある。感知領域内の通路のＣ−Ｃ断面で起きる垂直方向の磁束密度は、感知領域内の通路に沿ったいかなるところにおいても最大となる。
【００３１】
図１３及び図１４と共に説明した従来のコイル組品に対して、図１５及び図１６は、本発明によるコイル組品の正面図、平面図、側面図を特に、図１で示した共通の感知領域内の通路と台形状のコイル組品とを対応させて示している。図１５（ｂ）で示すように、一方のコイル組品１６７はセグメント１６８と１７０を備え、更に、図１５（ｃ）で示すように、他方のコイル組品１７２はセグメント１７４と１７６を備える。
【００３２】
感知領域の入口に最も近いＥ−Ｅで示された断面における磁界の分布線を示した図１５（ａ）で示されるように、図４で示した場合と実質的に同じコイル、同じ電流状態であるならば、感知領域の下部で起きる垂直方向の磁界の相殺が、相対する斜線部分から起こる比較的小さい垂直方向の磁界により最小になるような磁界パターンになる。図１３（ａ）と図１５（ａ）とを比較して、上方の水平部近傍の垂直方向の磁界は図１３（ａ）で示したよりもわずかに増加している。好ましくは、図３で示した左右両方のコイル組品のような、高く延在した検出コイルを使用することにより、マーカーを検出する検出性能を一層高める。
【００３３】
最後に、図１６（ａ）から１６（ｃ）において、図１５（ａ）から１５（ｃ）で説明した場合と実質的に同じコイル及び電流状態であるが、図１６（ａ）で示した断面図は、感知領域のほぼ中央のＣ−Ｃで示された断面であることが異なる。コイルに流れる電流が同じであると、垂直方向の磁界構成は、最上部の水平方向のコイル部分に対して左右対称で、更に加えて、それぞれの左右のコイル組品において反対方向である。底部の垂直方向の磁界と最上部の垂直方向の磁界との相殺は、そのとき、より低い位置で起きる。該位置より低い場合、すなわち、斜線部の交差点がより低い場合に、高い密度の磁束パターンが生じる。
【００３４】
【発明の効果】
このような不安定な状態の結果、感知領域の上半分における検出可能な領域が最大になるように垂直方向の磁界を広がらせる。そして、重要なことに、より低い垂直方向の領域は、更に小さくなり、外側の磁界をより小さくすることにより、床下に設けられた補強材のような外部からの悪影響を小さくする。Ｃ−Ｃ断面に生じる垂直方向の磁束密度は、感知領域内の通路に沿ったところで最大になる。全体的に、上方における垂直方向の磁界の通用範囲は最大となり、下半分の外側の磁界を最小にして、外部からの干渉を少なくする。
【図面の簡単な説明】
【図１】ＥＡＳシステムを示すブロック図を組み合わせて示した本発明のコイル組品を収容するアンテナ格子の部分断面斜視図である。
【図２】内部に配置された磁界発生コイルを示す図１で示したアンテナ格子を一方から見た側面図である。
【図３】内部に配置された検出コイルを示す図１で示したアンテナ格子を他方から見た側面図である。
【図４】２つの平行な感知領域をもたらすために互いに一定の間隔を置いて配置した、図２で示した３つの磁界発生コイルを示した図である。
【図５】図２で示した磁界発生コイルに、図３で示した検出コイルをそれぞれ交互に隣接させて配置した状態を示す分解図である。
【図６】本発明による磁界発生コイルの実施例を示した図である。
【図７】本発明による磁界発生コイルの他の実施例を示した図である。
【図８】本発明による磁界発生コイルの他の実施例を示した図である。
【図９】本発明による磁界発生コイルの他の実施例を示した図である。
【図１０】本発明による磁界発生コイルの他の実施例を示した図である。
【図１１】本発明による磁界発生コイルの他の実施例を示した図である。
【図１２】本発明による磁界発生コイルの他の実施例を示した図である。
【図１３】感知領域を示し、一定の間隔を置いて配置した従来の一対の磁界発生コイルを示した図であり、（ａ）は磁界発生コイルの装着面と直角をなし、感知領域の大略入口の平面に分布する垂直方向の磁界を示し、（ｂ）は一対の磁界発生コイルの側面図、（ｃ）は一対の磁界発生コイルの平面図である。
【図１４】図１３で示した従来の一対の磁界発生コイルを示した図であり、（ａ）は磁界発生コイルの装着面と直角をなし、感知領域の大略中央の平面に分布する垂直方向の磁界を示し、（ｂ）は一対の磁界発生コイルの側面図、（ｃ）は一対の磁界発生コイルの平面図である。
【図１５】感知領域を示し、一定の間隔を置いて配置した、図２で示した本発明の一対の磁界発生コイルを示した図であり、（ａ）は磁界発生コイルの装着面と直角をなし、感知領域の大略入口の平面に分布する垂直方向の磁界を示し、（ｂ）は一対の磁界発生コイルの側面図、（ｃ）は一対の磁界発生コイルの平面図である。
【図１６】図１５で示した本発明の一対の磁界発生コイルを示した図であり、（ａ）は磁界発生コイルの装着面と直角をなし、感知領域の大略中央の平面に分布する垂直方向の磁界を示し、（ｂ）は一対の磁界発生コイルの側面図、（ｃ）は一対の磁界発生コイルの平面図である。
【符号の説明】
１０  第１格子
１０Ａ  第２格子
１１  感知領域
１８  マーカー
２０  コイル組品
２２，３７，７８，８０，８２，１１０，１１６，１２２，１２４，１３２，１３４，１４４  磁界発生コイル
２４，５８，１０４，１０６，１０８  検出コイル
３４，５４  格子
３６，１５４，１６０，１６７，１７２  （磁界発生コイルの）コイル組品
３８，４０，８４，８６，１５６，１５８，１６２，１６４，１６８，１７０，１７４，１７６  （磁界発生コイルの）コイルセグメント
５６  （検出コイルの）コイル組品
６０，６２  （検出コイルの）部分
６４，６６  （検出コイルの）垂直部
６８，７０  （検出コイルの）中央垂直部
７２  （検出コイルの）最上部分
７４  （検出コイルの）底部分
８８，９０，１１２，１１４，１２６，１２８，１３０，１３６，１３８，１４０，１４２  （磁界発生コイルの）最上部分
９２，９４，９６，９８  （磁界発生コイルの）垂直部
１００，１０２，１１８，１２０  （磁界発生コイルの）底部分
１４６，１４８，１５０，１５２  （磁界発生コイルの）並置部。
【図１】
0003565897.tif 000002
【図２】
0003565897.tif 000003
【図３】
0003565897.tif 000004
【図４】
0003565897.tif 000005
【図５】
0003565897.tif 000006
【図６】
0003565897.tif 000007
【図７】
0003565897.tif 000008
【図８】
0003565897.tif 000009
【図９】
0003565897.tif 000010
【図１０】
0003565897.tif 000011
【図１１】
0003565897.tif 000012
【図１２】
0003565897.tif 000013
【図１３】
0003565897.tif 000014
【図１４】
0003565897.tif 000015
【図１５】
0003565897.tif 000016
【図１６】
0003565897.tif 000017